【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
組織部位の治療領域を創面切除するための減圧治療システムにおいて、
前記治療領域を被覆するように適合されたヒドロゲルであって、ブロック化された酸性創傷清拭剤を含むヒドロゲルと；
前記ヒドロゲルを被覆しかつ前記組織部位に減圧を分配するように適合されたマニホールドと；
前記組織部位およびマニホールドを覆って配置するためのシーリングドレープであって、前記組織部位およびマニホールドを覆って流体シールを形成するように適合されたシーリングドレープと
を含むことを特徴とする、システム。
【請求項２】
請求項１に記載の減圧治療システムにおいて、さらに、前記マニホールドに減圧を供給するための減圧インターフェースを含むことを特徴とする、減圧治療システム。
【請求項３】
請求項１または２に記載の減圧治療システムにおいて、前記ブロック化された酸性創傷清拭剤がαヒドロキシ酸を含むことを特徴とする、減圧治療システム。
【請求項４】
請求項３に記載の減圧治療システムにおいて、前記ブロック化された酸性創傷清拭剤が乳酸およびアルギニン基を含むことを特徴とする、減圧治療システム。
【請求項５】
請求項３に記載の減圧治療システムにおいて、前記ブロック化された酸性創傷清拭剤がグリコール酸およびアルギニンを含むことを特徴とする、減圧治療システム。
【請求項６】
請求項１または請求項１乃至５の何れか１項に記載の減圧治療システムにおいて、前記ヒドロゲルが、創傷液にさらされることに応答して、時間が経つにつれて軟化してバラバラになるように適合されていることを特徴とする、減圧治療システム。
【請求項７】
請求項６または請求項１乃至６の何れか１項に記載の減圧治療システムにおいて、前記ヒドロゲルが軟化した後で、前記マニホールドが、前記ヒドロゲルを吸収するように適合されていることを特徴とする、減圧治療システム。
【請求項８】
請求項１または請求項１乃至７の何れか１項に記載の減圧治療システムにおいて、前記マニホールドが、創面切除された壊死組織を吸収するように適合されていることを特徴とする、減圧治療システム。
【請求項９】
請求項１または請求項１乃至８の何れか１項に記載の減圧治療システムにおいて、前記ヒドロゲルが、予め形成されたシートであることを特徴とする、減圧治療システム。
【請求項１０】
請求項１または請求項２乃至８の何れか１項に記載の減圧治療システムにおいて、前記ヒドロゲルが粘着性ゲルであることを特徴とする、減圧治療システム。
【請求項１１】
請求項１または請求項１乃至１０の何れか１項に記載の減圧治療システムにおいて、さらに減圧サブシステムを含むことを特徴とする、減圧治療システム。
【請求項１２】
請求項１または請求項１乃至１１の何れか１項に記載の減圧治療システムにおいて、さらに、前記ヒドロゲルと前記マニホールドとの間に中間発泡層を含むことを特徴とする、減圧治療システム。
【請求項１３】
組織部位を治療しかつ治療領域を創面切除するための減圧創傷ドレッシングの製造方法において、
ヒドロゲルを提供するステップであって、
前記ヒドロゲルが前記治療領域を被覆するように適合されており、および
前記ヒドロゲルが、ブロック化された酸性創傷清拭剤を含むステップと；
マニホールドを提供するステップであって、前記マニホールドが、前記ヒドロゲルを被覆しかつ前記組織部位に減圧を分配するように適合されているステップと；
前記組織部位およびマニホールドを覆って配置するためのシーリングドレープを提供するステップであって、前記シーリングドレープが、前記組織部位およびマニホールドを覆って流体シールを形成するように適合されているステップと
を含むことを特徴とする、方法。
【請求項１４】
請求項１３に記載の方法において、さらに、前記マニホールドに減圧を供給するために減圧インターフェースを提供するステップを含むことを特徴とする、方法。
【請求項１５】
請求項１３または１４に記載の方法において、さらに、前記ヒドロゲルと前記マニホールドとの間に配置する中間発泡層を提供するステップを含むことを特徴とする、方法。
【請求項１６】
請求項１３乃至１５の何れか１項に記載の方法において、前記ブロック化された酸性創傷清拭剤がαヒドロキシ酸を含むことを特徴とする、方法。
【請求項１７】
請求項１６に記載の方法において、前記ブロック化された酸性創傷清拭剤が乳酸およびアルギニンを含むことを特徴とする、方法。
【請求項１８】
請求項１６に記載の方法において、前記ブロック化された酸性創傷清拭剤がグリコール酸およびアルギニンを含むことを特徴とする、方法。
【請求項１９】
請求項１３または請求項１４乃至１８の何れか１項に記載の方法において、創傷液にさらされることに応答して、前記ヒドロゲルが、時間が経つにつれて軟化してバラバラになるように適合されていることを特徴とする、方法。
【請求項２０】
請求項１３または請求項１４乃至１９の何れか１項に記載の方法において、前記ヒドロゲルが軟化した後に、前記マニホールドが、前記ヒドロゲルを吸収するように適合されていることを特徴とする、方法。
【請求項２１】
請求項１３または請求項１４乃至２０の何れか１項に記載の方法において、前記ヒドロゲルが、予め形成されたシートであることを特徴とする、方法。
【請求項２２】
請求項１３または請求項１４乃至２１の何れか１項に記載の方法において、さらに、減圧サブシステムを提供するステップを含むことを特徴とする、方法。
【請求項２３】
減圧創傷ドレッシングにおいて：
組織部位の治療領域を被覆するように適合されたヒドロゲルであって、ブロック化された酸性創傷清拭剤を含むヒドロゲルと；
前記ヒドロゲルを被覆しかつ前記組織部位に減圧を分配するように適合されたマニホールドと；
前記組織部位およびマニホールドを覆って配置するためのシーリングドレープであって、前記組織部位およびマニホールドを覆って流体シールを形成するように適合されたシーリングドレープと
を含むことを特徴とする、減圧創傷ドレッシング。
【請求項２４】
請求項２３に記載の減圧創傷ドレッシングにおいて、さらに、前記マニホールドに減圧を供給するための減圧インターフェースを含むことを特徴とする、減圧創傷ドレッシング。
【請求項２５】
請求項２３または２４に記載の減圧創傷ドレッシングにおいて、さらに、前記ヒドロゲルと前記マニホールドとの間に中間発泡層を含むことを特徴とする、減圧創傷ドレッシング。
【請求項２６】
請求項２３乃至２５の何れか１項に記載の減圧創傷ドレッシングにおいて、前記ブロック化された酸性創傷清拭剤がαヒドロキシ酸を含むことを特徴とする、減圧創傷ドレッシング。
【請求項２７】
請求項２６に記載の減圧創傷ドレッシングにおいて、前記ブロック化された酸性創傷清拭剤が乳酸およびアルギニンを含むことを特徴とする、減圧創傷ドレッシング。
【請求項２８】
請求項２６に記載の減圧創傷ドレッシングにおいて、前記ブロック化された酸性創傷清拭剤がグリコール酸およびアルギニンを含むことを特徴とする、減圧創傷ドレッシング。
【請求項２９】
請求項２３または請求項２４乃至２８の何れか１項に記載の減圧創傷ドレッシングにおいて、創傷液にさらされることに応答して、前記ヒドロゲルが、時間が経つにつれて軟化してバラバラになるように適合されていることを特徴とする、減圧創傷ドレッシング。
【請求項３０】
請求項２３または請求項２４乃至２９の何れか１項に記載の減圧創傷ドレッシングにおいて、前記ヒドロゲルが軟化した後、前記マニホールドが、前記ヒドロゲルを吸収するように適合されていることを特徴とする、減圧創傷ドレッシング。
【請求項３１】
請求項２３または請求項２４乃至３０の何れか１項に記載の減圧創傷ドレッシングにおいて、前記マニホールドが、創面切除された壊死組織を吸収するように適合されていることを特徴とする、減圧創傷ドレッシング。
【請求項３２】
請求項２３または請求項２４乃至３１の何れか１項に記載の減圧創傷ドレッシングにおいて、前記ヒドロゲルが、予め形成されたシートであることを特徴とする、減圧創傷ドレッシング。
【請求項３３】
請求項２３または請求項２４乃至３１の何れか１項に記載の減圧創傷ドレッシングにおいて、前記ヒドロゲルが粘着性ゲルであることを特徴とする、減圧創傷ドレッシング。
【請求項３４】
請求項２３または請求項２４乃至３３の何れか１項に記載の減圧創傷ドレッシングにおいて、さらに、減圧サブシステムおよび収集液溜めを含むことを特徴とする、減圧創傷ドレッシング。